(57)【要約】【課題】平滑コンデンサーの異常を適切に検出可能な電源装置を提供する。【解決手段】整流回路１２と、第１平滑コンデンサー１４ａを有する第１平滑回路１４とを備え、交流電源を整流回路１２によって整流した後、第１平滑回路１４の第１平滑コンデンサー１４ａを用いて平滑して、負荷２２に対し直流電源を供給する電源装置１において、第１平滑コンデンサー１４ａの出力電圧に含まれるリップル電圧を検出するリップル電圧検出部２０ａと、リップル電圧検出部２０ａにより検出されたリップル電圧に基づいて、第１平滑コンデンサー１４ａの異常を検出する制御部２０と、を備えるようにした。【選択図】図１
2010259178.tif 000002
【特許請求の範囲】
【請求項１】
整流回路と、平滑コンデンサーを有する平滑回路とを備え、交流電源を前記整流回路によって整流した後、前記平滑回路の前記平滑コンデンサーを用いて平滑して、負荷に対し直流電源を供給する電源装置において、
前記平滑コンデンサーの出力電圧に含まれるリップル電圧を検出するリップル電圧検出部と、前記リップル電圧検出部により検出されたリップル電圧に基づいて、前記平滑コンデンサーの異常を検出する異常検出部と、を備えたことを特徴とする電源装置。
【請求項２】
前記負荷に対する直流電源の供給を遮断する遮断部と、
前記異常検出部により前記平滑コンデンサーの異常が検出された場合、前記遮断部により前記負荷に対する直流電源の供給を遮断する遮断制御部と、を備えたことを特徴とする請求項１に記載の電源装置。
【請求項３】
前記平滑回路を複数備えると共に、
前記整流回路の電力の供給先を複数の前記平滑回路のいずれかに切り換える切替スイッチと、前記異常検出部により前記平滑コンデンサーの異常が検出された場合、前記切替スイッチにより異常が検出されていない前記平滑コンデンサーを有する前記平滑回路に、前記整流回路の電力の供給先を切り替える切替制御部と、を備えたことを特徴とする請求項１に記載の電源装置。
【請求項４】
負荷に対する直流電源の供給を遮断する遮断部と、
前記異常検出部により前記平滑回路が有する前記平滑コンデンサーの全てについて異常が検出された場合、前記遮断部により負荷に対する直流電源の供給を遮断する遮断制御部と、を備えたことを特徴とする請求項３に記載の電源装置。
【請求項５】
前記切替制御部により前記整流回路の電力の供給先の切り替えが行われた場合、その旨報知する切替報知部を備えることを特徴とする請求項３又は４に記載の電源装置。
【請求項６】
前記異常検出部により前記平滑コンデンサーの異常が検出された場合、その旨報知する異常報知部を備えたことを特徴とする請求項１乃至５のいずれかに記載の電源装置。
【請求項７】
交流電源を整流回路によって整流した後、平滑回路の平滑コンデンサーを用いて平滑して、負荷に対し直流電源を供給する電源装置の制御方法であって、
前記平滑コンデンサーの出力電圧に含まれるリップル電圧を検出し、検出したリップル電圧に基づいて、前記平滑コンデンサーの異常を検出することを特徴とする電源装置の制御方法。
【発明の詳細な説明】
【技術分野】
【０００１】
本発明は、平滑コンデンサーを有する電源装置及びこの電源装置の制御方法に関する。
【背景技術】
【０００２】
従来、整流回路の出力電圧を平滑コンデンサーを用いて平滑して略直流電圧を得る電源装置が知られている（例えば、特許文献１参照）。
【先行技術文献】
【特許文献】
【０００３】
【特許文献１】特開２００５−２９４８０３号公報
【発明の概要】
【発明が解決しようとする課題】
【０００４】
平滑コンデンサーは、電源装置の他の部材と比較して、経年劣化や、電解液の蒸発等により異常が生じやすい部材である。このため、特許文献１に係る電源装置のように平滑コンデンサーを備える電源装置では、平滑コンデンサーの異常を適切に検出したいとするニーズがある。
本発明は、上述した事情に鑑みてなされたものであり、平滑コンデンサーの異常を適切に検出可能な電源装置を提供することを目的とする。
【課題を解決するための手段】
【０００５】
上記目的を達成するために、本発明は、整流回路と、平滑コンデンサーを有する平滑回路とを備え、交流電源を前記整流回路によって整流した後、前記平滑回路の前記平滑コンデンサーを用いて平滑して、負荷に対し直流電源を供給する電源装置において、前記平滑コンデンサーの出力電圧に含まれるリップル電圧を検出するリップル電圧検出部と、前記リップル電圧検出部により検出されたリップル電圧に基づいて、前記平滑コンデンサーの異常を検出する異常検出部と、を備えたことを特徴とする。
ここで、平滑コンデンサーの異常とは、継続して使用することができない程度に、平滑コンデンサーが劣化している状態をいう。
そして、平滑コンデンサーの劣化が進み、平滑コンデンサーの容量の減少化が進めば進むほど、平滑コンデンサーの出力電圧に含まれるリップル電圧は大きくなるという特性がある。このため、上記構成のようにリップル電圧検出部により検出したリップル電圧に基づいて、平滑コンデンサーに異常が生じていることを検出することにより、上述した特性を利用して平滑コンデンサーに異常が生じていることを適切に検出することができる。
【０００６】
ここで、上記発明の電源装置において、前記負荷に対する直流電源の供給を遮断する遮断部と、前記異常検出部により前記平滑コンデンサーの異常が検出された場合、前記遮断部により前記負荷に対する直流電源の供給を遮断する遮断制御部と、を備えたようにしてもよい。
この構成によれば、平滑コンデンサーに異常が生じている状態で、負荷に対し直流電源が供給されることを防止でき、負荷に対して悪影響が及ぶことを防止できる。
【０００７】
また、上記発明の電源装置において、前記平滑回路を複数備えると共に、前記整流回路の電力の供給先を複数の前記平滑回路のいずれかに切り換える切替スイッチと、前記異常検出部により前記平滑コンデンサーの異常が検出された場合、前記切替スイッチにより異常が検出されていない前記平滑コンデンサーを有する前記平滑回路に、前記整流回路の電力の供給先を切り替える切替制御部と、を備えたようにしてもよい。
この構成によれば、ある平滑回路の平滑コンデンサーに異常が生じた場合であっても、他の平滑回路に切り替えることによって、電源装置を継続して利用でき、電源装置の長寿命化を図ることができる。
【０００８】
また、上記発明の電源装置において、負荷に対する直流電源の供給を遮断する遮断部と、前記異常検出部により前記平滑回路が有する前記平滑コンデンサーの全てについて異常が検出された場合、前記遮断部により負荷に対する直流電源の供給を遮断する遮断制御部と、を備えたようにしてもよい。
この構成によれば、ある平滑回路の平滑コンデンサーに異常が生じた場合は他の平滑回路に切り替えることによって、電源装置の長寿命化を実現した上で、全ての平滑コンデンサーに異常が生じた状態で、負荷に対し直流電源が供給されることを防止でき、負荷に対して悪影響が及ぶことを防止できる。
【０００９】
また、上記発明の電源装置において、前記切替制御部により前記整流回路の電力の供給先の切り替えが行われた場合、その旨報知する切替報知部を備えたようにしてもよい。
この構成によれば、使用していた平滑コンデンサーの異常に起因して、他の平滑コンデンサーを有する平滑回路に整流回路の電力の供給先を変更したことを報知することによって、異常が生じた平滑コンデンサーの原因の究明をユーザーに促すことができると共に、他の平滑コンデンサーにも異常が生じ、電源装置が完全に利用不可能となってしまった場合に備えて、予備の電源装置を準備するための期間をユーザーに提供することができる。
【００１０】
また、上記発明の電源装置において、前記異常検出部により前記平滑コンデンサーの異常が検出された場合、その旨報知する異常報知部を備えたようにしてもよい。
この構成によれば、ユーザーは平滑コンデンサーに異常が検出されたことを容易かつ迅速に認識できる。
【００１１】
また、上記目的を達成するために、本発明は、交流電源を整流回路によって整流した後、平滑回路の平滑コンデンサーを用いて平滑して、負荷に対し直流電源を供給する電源装置の制御方法であって、前記平滑コンデンサーの出力電圧に含まれるリップル電圧を検出し、検出したリップル電圧に基づいて、前記平滑コンデンサーの異常を検出することを特徴とする。
この制御方法によれば、平滑コンデンサーの劣化が進み、平滑コンデンサーの容量の減少化が進めば進むほど、平滑コンデンサーの出力電圧に含まれるリップル電圧は大きくなるという特性を利用して、平滑コンデンサーに異常が生じていることを適切に検出することができる。
【発明の効果】
【００１２】
本発明によれば、平滑コンデンサーの出力電圧に含まれるリップル電圧を検出し、検出したリップル電圧に基づいて、平滑コンデンサーに異常が生じていることを適切に検出することができる。
【図面の簡単な説明】
【００１３】
【図１】本実施形態に係る電源装置の構成例を示すブロック図である。
【図２】電源装置の動作を示すフローチャートである。
【発明を実施するための形態】
【００１４】
以下、図面を参照して本発明の実施形態について説明する。
図１は、本発明の実施形態に係る電源装置１の構成例を示すブロック図である。
図１に示すように、電源装置１は、商用電源入力端子１０と、ヒューズ１１と、整流回路１２と、切替スイッチ１３と、第１平滑回路１４と、第２平滑回路１５と、遮断回路１６（遮断部）と、電圧変換回路１７と、出力電圧検出部１８と、Ａ／Ｄ変換部１９と、制御部２０と、報知部２１と、を備えている。
商用電源入力端子１０は、商用電源としての交流電源からの電源電力を入力する端子である。商用電源入力端子１０には、例えば、電圧が１００Ｖ、周波数が５０Ｈｚ又は６０Ｈｚの商用電源が入力される。
ヒューズ１１は、何らかのトラブル（例えば、短絡事故）により商用電源から電源装置１に対して過大な電流が流れた場合に溶断して、過電流に起因して電源装置１が破損することを防止する。なお、ヒューズ１１の代わりに、電磁リレー等を使用してもよい。
整流回路１２は、半導体ダイオードを複数備え、商用電源の交流電圧を整流して出力する。
【００１５】
切替スイッチ１３は、制御部２０の制御の下、後述するように、第１平滑回路１４の第１平滑コンデンサー１４ａに異常が検出された場合、整流回路１２の電力の供給先を、第１平滑回路１４から第２平滑回路１５へ切り替えるスイッチである。
第１平滑回路１４は、第１平滑コンデンサー１４ａを備え、この第１平滑コンデンサー１４ａを用いて整流回路１２において整流された電圧を平滑して、出力する。
第２平滑回路１５は、第２平滑コンデンサー１５ａを備え、この第２平滑コンデンサー１５ａを用いて整流回路１２において整流された電圧を平滑して、出力する。
なお、本実施形態では、第１平滑コンデンサー１４ａ、第２平滑コンデンサー１５ａとして、アルミ電解コンデンサーが利用されている。アルミ電解コンデンサーは、周囲温度が高ければ高いほど劣化が進み、また、電解液の漏れや蒸発等に起因して劣化が進むため、比較的劣化しやすい部材とされている。このため、特に、アルミ電解コンデンサーの劣化に起因した異常の発生を適切に検出したいとするニーズがある。
遮断回路１６は、制御部２０の制御の下、後述するように、第１平滑コンデンサー１４ａ及び第２平滑コンデンサー１５ａの両方に異常が生じた場合に、負荷２２に対して供給される直流電源を遮断する。
電圧変換回路１７は、第１平滑回路１４又は第２平滑回路１５から供給される直流電源を、電気機器である負荷２２に応じて電圧変換し、当該負荷２２に対して供給する。
出力電圧検出部１８は、整流回路１２の電力の供給先が第１平滑回路１４である場合、第１平滑回路１４の第１平滑コンデンサー１４ａの出力電圧を所定の電圧に分圧した上で、Ａ／Ｄ変換部１９に出力する。また、出力電圧検出部１８は、整流回路１２の電力の供給先が第２平滑回路１５である場合、第２平滑回路１５の第２平滑コンデンサー１５ａの出力電圧を所定の電圧に分圧した上で、Ａ／Ｄ変換部１９に出力する。
【００１６】
制御部２０は、電源装置１の各部を中枢的に制御するものであり、演算実行部としてのＣＰＵや、このＣＰＵに実行される基本制御プログラムや、この基本制御プログラムに係るデータ等を不揮発的に記憶するＲＯＭ、ＣＰＵに実行されるプログラムやこのプログラムに係るデータ等を一時的に記憶するＲＡＭ、その他の周辺回路等を備えている。制御部２０は、リップル電圧検出部２０ａを備えている。
リップル電圧検出部２０ａは、Ａ／Ｄ変換部１９に入力されたアナログの電圧を所定のサンプリング周期でデジタル変換し、変換したデジタルな電圧を第１平滑コンデンサー１４ａ又は第２平滑コンデンサー１５ａの出力電圧として検出する。そして、リップル電圧検出部２０ａは、検出した第１平滑コンデンサー１４ａ又は第２平滑コンデンサー１５ａの出力電圧から、当該出力電圧の変動幅、すなわち、出力電圧の最大値と最小値との差をリップル電圧として検出する。
報知部２１は、赤色に発光する赤色ＬＥＤ２１Ｒと、黄緑色に発光する緑色ＬＥＤ２１Ｇとの２つのＬＥＤを備え、制御部２０の制御の下、これらＬＥＤが所定の態様で発光することにより、電源装置１の状態を報知する。赤色ＬＥＤ２１Ｒ及び緑色ＬＥＤ２１Ｇの発光の態様については後述する。
【００１７】
次いで、電源装置１の動作について図２のフローチャートを用いて説明する。
なお、図２のフローチャートの動作の開始時点では、第１平滑コンデンサー１４ａ及び第２平滑コンデンサー１５ａのいずれにも異常が発生しておらず、電源装置１は正常に動作しているものとする。そして、電源装置１の制御部２０は、報知部２１の緑色ＬＥＤ２１Ｇを点灯することによって、電源装置１が正常に動作していることを報知しているものとする。
また、以下の動作において、制御部２０は、第１平滑コンデンサー１４ａ、第２平滑コンデンサー１５ａの異常を検出する異常検出部、遮断回路１６を制御して負荷２２に対する直流電源の供給を遮断する遮断制御部、切替スイッチ１３を制御して整流回路１２の電力の供給先を切り替える切替制御部、報知部２１を制御して整流回路１２の電力の供給先の切り替えが行われたことを報知する切替報知部、及び、報知部２１を制御して第１平滑コンデンサー１４ａ、第２平滑コンデンサー１５ａの異常が検出されたことを報知する異常報知部として機能する。
【００１８】
まず、制御部２０は、リップル電圧検出部２０ａにより検出されたリップル電圧に基づいて、整流回路１２の電力の供給先が第１平滑回路１４である場合は、第１平滑コンデンサー１４ａに異常が発生しているか否かを判別し、整流回路１２の電力の供給先が第２平滑回路１５である場合は、第２平滑コンデンサー１５ａに異常が発生しているか否かを判別する（ステップＳＡ１）。
本実施形態では、第１平滑コンデンサー１４ａに異常が発生しているとは、継続して使用することができない程度に、第１平滑コンデンサー１４ａが劣化している状態をいう。ここで、第１平滑コンデンサー１４ａの劣化が進み、第１平滑コンデンサー１４ａの容量の減少化が進めば進むほど、第１平滑コンデンサー１４ａの出力電圧に含まれるリップル電圧は大きくなる。これを踏まえ、本実施形態では、第１平滑コンデンサー１４ａを継続して使用できるか否かを判別するためのリップル電圧の閾値が予め定められており、リップル電圧検出部２０ａにより検出されたリップル電圧がこの閾値を上回る場合、制御部２０は、第１平滑コンデンサー１４ａに異常が生じていると判別し、リップル電圧がこの閾値を下回る場合、制御部２０は、第１平滑コンデンサー１４ａに異常が生じていないと判別する。このことは、第２平滑コンデンサー１５ａについても同様である。
【００１９】
このように、本実施形態では、第１平滑コンデンサー１４ａを継続して使用できるか否かを判別するためのリップル電圧の閾値が予め定められており、リップル電圧検出部２０ａにより検出されたリップル電圧が当該閾値よりも高い場合、第１平滑コンデンサー１４ａに異常が生じていると判別する。これにより、劣化が進めば進むほどリップル電圧が大きくなるという第１平滑コンデンサー１４ａの特性を利用して、第１平滑コンデンサー１４ａに異常が生じていることを適切に検出することができる。このことは、第２平滑コンデンサー１５ａについても同様である。
【００２０】
ステップＳＡ１において、第１平滑コンデンサー１４ａ又は第２平滑コンデンサー１５ａに異常が発生している場合（ステップＳＡ１：ＹＥＳ）、制御部２０は、現在の整流回路１２の電力の供給先が第１平滑回路１４であるか否かを判別する（ステップＳＡ２）。現在の整流回路１２の電力の供給先が第１平滑回路１４である場合（ステップＳＡ２：ＹＥＳ）、制御部２０は、切替スイッチ１３を制御して、整流回路１２の電力の供給先を第２平滑回路１５へと切り替える（ステップＳＡ３）。次に、制御部２０は、緑色ＬＥＤ２１Ｇを消灯し、赤色ＬＥＤ２１Ｒを点灯することにより、第１平滑回路１４の第１平滑コンデンサー１４ａの異常が検出された旨及び整流回路１２の電力の供給先を第２平滑回路１５へと切り替えた旨報知し（ステップＳＡ４）、処理手順をステップＳＡ１へ戻す。
【００２１】
このように、本実施形態では、第１平滑コンデンサー１４ａに異常が検出された場合、整流回路１２の電力の供給先を、異常が検出されていない第２平滑コンデンサー１５ａを備える第２平滑回路１５へ切り替える。これにより、第１平滑コンデンサー１４ａに異常が発生した場合であっても、電源装置１を継続して利用することが可能となり、電源装置１の長寿命化を実現できる。さらに、第１平滑コンデンサー１４ａの異常に起因して電源装置１が突然停止することを防止でき、電源装置１の突然の停止に起因して発生する不具合、例えば、負荷２２がパーソナルコンピューターである場合において、パーソナルコンピューターが突然シャットダウンし、これにより作業中のデータが消失しまう等の不具合、が発生することを防止できる。
さらに、本実施形態では、第１平滑回路１４の第１平滑コンデンサー１４ａの異常が検出された旨及び整流回路１２の電力の供給先を第２平滑回路１５へと切り替えた旨が報知される。これにより、ユーザーは、第１平滑コンデンサー１４ａに異常が検出されたことを容易かつ迅速に認識できる。さらに、電源装置１を利用可能な状態を維持しつつ、ユーザーに対して、第１平滑コンデンサー１４ａの異常の原因の究明を促すことができる。さらに、将来第２平滑コンデンサー１５ａに異常が発生し、電源装置１が完全に利用不可能となってしまった場合に備えて予備の電源装置を準備するための期間をユーザーに提供することができる。
【００２２】
さて、ステップＳＡ２において、現在の整流回路１２の電力の供給先が第１平滑回路１４ではない場合（ステップＳＡ２：ＮＯ）、制御部２０は、遮断回路１６を制御して、負荷２２に対する電源の供給を遮断する（ステップＳＡ５）。
ここで、現在の整流回路１２の電力の供給先が第１平滑回路１４ではないということは、第１平滑回路１４の第１平滑コンデンサー１４ａの異常が検出された後、整流回路１２の電力の供給先が第２平滑回路１５へと切り替わり、その後さらに、第２平滑回路１５の第２平滑コンデンサー１５ａに異常が検出された、ということである。
【００２３】
このように、本実施形態では、第１平滑コンデンサー１４ａに続き、第２平滑コンデンサー１５ａに異常が検出された場合、制御部２０は、遮断回路１６によって負荷２２に対する電源の供給を遮断する。これにより、第２平滑コンデンサー１５ａに異常が発生した状態で、負荷２２に対して電源が供給されることを防止でき、負荷２２に対して悪影響が及ぶことを防止できる。特に、第１平滑コンデンサー１４ａ及び第２平滑コンデンサー１５ａという、全ての平滑コンデンサーに異常が検出されたときに初めて負荷２２への電源の供給が遮断されるため、電源装置１の利用可能期間の長期化、すなわち、電源装置１の長寿命化を実現できる。
【００２４】
ステップＳＡ５において負荷２２に対する電源の供給を遮断した後、制御部２０は、報知部２１の赤色ＬＥＤ２１Ｒを点滅させることにより、その旨報知する（ステップＳＡ６）。
このように本実施形態では、第１平滑コンデンサー１４ａ及び第２平滑コンデンサー１５ａに異常が検出され、負荷２２に対する電源の供給が遮断された場合、その旨報知されるため、ユーザーは、第１平滑コンデンサー１４ａ及び第２平滑コンデンサー１５ａの両方に異常が検出されたこと、及び、異常が検出されたため、負荷２２に対する電源の供給が遮断されたことを容易に認識することができる。
【００２５】
以上説明したように、本実施形態に係る電源装置１は、整流回路１２と、第１平滑コンデンサー１４ａを有する第１平滑回路１４、第２平滑コンデンサー１５ａを有する第２平滑回路１５とを備え、交流電源を整流回路１２によって整流した後、第１平滑回路１４、第２平滑回路１５の第１平滑コンデンサー１４ａ、第２平滑コンデンサー１５ａを用いて平滑して、負荷２２に対し直流電源を供給する。
そして、電源装置１は、第１平滑コンデンサー１４ａ、第２平滑コンデンサー１５ａの出力電圧に含まれるリップル電圧を検出するリップル電圧検出部２０ａと、リップル電圧検出部２０ａにより検出されたリップル電圧に基づいて、平滑コンデンサーの異常を検出する制御部２０と、を備えている。
このように、リップル電圧検出部２０ａにより検出したリップル電圧に基づいて、第１平滑コンデンサー１４ａに異常が生じていることを検出することにより、劣化が進めば進むほどリップル電圧が大きくなるという第１平滑コンデンサー１４ａの特性を利用して、第１平滑コンデンサー１４ａに異常が生じていることを適切に検出することができる。このことは、第２平滑コンデンサー１５ａについても同様である。
【００２６】
また、本実施形態では、負荷２２に対する直流電源の供給を遮断する遮断回路１６を備え、制御部２０は、第１平滑コンデンサー１４ａ及び第２平滑コンデンサー１５ａの両方に異常が検出された場合、遮断回路１６を制御して、負荷２２に対する直流電源の供給を遮断する。
この構成によれば、第１平滑コンデンサー１４ａ及び第２平滑コンデンサー１５ａに異常が生じている状態で、負荷２２に対し直流電源が供給されることを防止でき、負荷２２に対して悪影響が及ぶことを防止できる。
【００２７】
また、本実施形態に係る電源装置１は、第１平滑回路１４、第２平滑回路１５という複数の平滑回路を備えると共に、整流回路１２の電力の供給先を第１平滑回路１４、第２平滑回路１５のいずれかに切り換える切替スイッチ１３を備えている。そして、制御部２０は、第１平滑コンデンサー１４ａの異常が検出された場合、切替スイッチ１３を制御して、異常が検出されていない平滑コンデンサーである第２平滑コンデンサー１５ａを有する第２平滑回路１５に、整流回路１２の電力の供給先を切り替える。
これによれば、第１平滑回路１４の第１平滑コンデンサー１４ａに異常が生じた場合であっても、第２平滑回路１５に切り替えることによって、電源装置１を継続して利用でき、電源装置１の長寿命化を図ることができる。
特に、上述したように、制御部２０は、第１平滑コンデンサー１４ａ及び第２平滑コンデンサー１５ａの両方に異常が検出された場合、遮断回路１６を制御して、負荷２２に対する直流電源の供給を遮断するため、電源装置１の長寿命化を実現した上で、第１平滑コンデンサー１４ａ及び第２平滑コンデンサー１５ａに異常が生じた状態で、負荷２２に対し直流電源が供給されることを防止でき、負荷２２に対して悪影響が及ぶことを防止できる。
【００２８】
また、本実施形態に係る電源装置１は、制御部２０により整流回路１２の電力の供給先の切り替えが行われた場合、その旨報知する。
これによれば、これにより、電源装置１を利用可能な状態を維持しつつ、ユーザーに対して、第１平滑コンデンサー１４ａの異常の原因の究明を促すことができ、さらに、第２平滑コンデンサー１５ａに異常が発生し、電源装置１が完全に利用不可能となってしまった場合に備えて予備の電源装置を準備するための期間をユーザーに提供することができる。
【００２９】
また、本実施形態に係る電源装置１は、第１平滑コンデンサー１４ａ、第２平滑コンデンサー１５ａの異常が検出された場合、その旨報知する。
これによれば、ユーザーは第１平滑コンデンサー１４ａ、第２平滑コンデンサー１５ａに異常が検出されたことを容易かつ迅速に認識できる。
【００３０】
なお、上述した実施の形態は、あくまでも本発明の一態様を示すものであり、本発明の範囲内で任意に変形および応用が可能であることは勿論である。
例えば、上述した実施形態に係る電源装置１は、第１平滑回路１４及び第２平滑回路１５の２つの平滑回路を備えていたが、平滑回路の数は２つに限らない。平滑回路の数が多ければ多いほど、電源装置１の長寿命化を実現することができる。
また、本実施形態では、ＬＥＤを利用して、整流回路１２の電力の供給先が切り替わったことや、第１平滑コンデンサー１４ａ、第２平滑コンデンサー１５ａに異常が検出されたことを報知していたが、報知の方法はＬＥＤを利用する方法に限らず、例えば、音声で報知したり、表示パネルを設けてこの表示パネルに表示することによって報知したりするようにしてもよい。
【符号の説明】
【００３１】
１…電源装置、１２…整流回路、１３…切替スイッチ、１４…第１平滑回路（平滑回路）、１４ａ…第１平滑コンデンサー（平滑コンデンサー）、１５…第２平滑回路（平滑回路）、１５ａ…第２平滑コンデンサー（平滑コンデンサー）、１６…遮断回路（遮断部）、２０…制御部（異常検出部、遮断制御部、切替制御部、切替報知部、異常放置部）、２０ａ…リップル電圧検出部、２２…負荷。
【図１】
2010259178.tif 000003
【図２】
2010259178.tif 000004